(57)【特許請求の範囲】
【請求項１】
容器口部の上側に配置される天壁を有し当該天壁から垂下する筒壁が容器口部の外側面に着脱可能に螺合する本体と、この本体の天壁の上側に配置される天壁を有し当該天壁から垂下する筒壁が本体の筒壁の外側面を取り囲む外装体とを有し、この外装体が本体の周りを空転すると共にその押し下げにより本体を共回りさせて、少なくとも容器口部からの取り外しが可能になる誤操作防止用キャップであって、
本体の天壁に、外装体の天壁に向かって突出する凸部を設け、
外装体の天壁に、この外装体を押し下げたときの前記凸部からの押圧により当該外装体の天壁から所定の形状に押し抜かれる分離体を設けたことを特徴とする誤操作防止用キャップ。
【請求項２】
請求項１において、本体の筒壁と、外装体の筒壁とに、この外装体を押し下げたときに互いに協働して、その押し下げ状態を維持する係止部を設けたことを特徴とする誤操作防止用キャップ。
【発明の詳細な説明】
【技術分野】
【０００１】
本発明は、容器口部に螺合して当該口部を封止する本体と、この本体の周りを空転すると共にその押し上げによって当該本体と共に共回りする外装体とを有し、少なくとも容器口部からの取り外しが可能な、チャイルドプルーフキャップに代表される誤操作防止用キャップであって、その未開封状態を知らしめるための技術に関するものである。
【背景技術】
【０００２】
従来の誤操作防止用キャップには、容器口部の上側に配置される天壁から筒壁が垂下して容器口部の外側面に着脱可能に螺合する本体と、この本体の天壁の上側に配置される天壁から筒壁が垂下して本体の筒壁の外側面を取り囲む外装体とで構成されるものがある（例えば、特許文献１参照。）。
【特許文献１】実開昭５８−９５６号公報
【発明の開示】
【発明が解決しようとする課題】
【０００３】
こうしたキャップは、外装体を押し下げつつ回転させるという特殊な操作を行わないと開けることができないため、キャップの誤操作やいたずら等を効果的に防止するが、その外観を見ただけでは、実際にキャップを開ける時に既に開封された状態であるのか、未開封の状態であるのかを認識することができなかった。
【０００４】
また、キャップの未開封状態を視覚的に捉えるとしても、その判断が困難な場合があり、キャップを開けるにあたって行われる一連の動作で未開封状態であったことを体感できることが好ましい。
【０００５】
本発明の目的とするところは、視覚的又は体感的に、その未開封状態を知らしめることができる新規な誤操作防止用キャップを提供することにある。
【課題を解決するための手段】
【０００６】
本発明は、容器口部の上側に配置される天壁を有し当該天壁から垂下する筒壁が容器口部の外側面に着脱可能に螺合する本体と、この本体の天壁の上側に配置される天壁を有し当該天壁から垂下する筒壁が本体の筒壁の外側面を取り囲む外装体とを有し、この外装体が本体の周りを空転すると共にその押し下げにより本体を共回りさせて、少なくとも容器口部からの取り外しが可能になる誤操作防止用キャップであって、本体の天壁に、外装体の天壁に向かって突出する凸部を設け、外装体の天壁に、この外装体を押し下げたときの前記凸部からの押圧により当該外装体の天壁から所定の形状に押し抜かれる分離体を設けたことを特徴とするものである。
【０００７】
本発明に係る分離体は、外装体の天壁に形成された開口部の内側に、本体の凸部からの押圧によって破断可能な複数の連結片を介して連結されたものとすることができる。
【０００８】
また、本発明に係る分離体は、本体の凸部からの押圧によって破断可能な薄肉ラインにより、外装体の天壁に形作られたものとすることもできる。
【０００９】
更に、本発明によれば、本体の筒壁と、外装体の筒壁とに、この外装体を押し下げたときに互いに協働して、その押し下げ状態を維持する係止部を設けることもできる。
【００１０】
係止部としては、外装体を押し下げたときに本体の筒壁に引っ掛かる構成、例えば、本体に設けた凸部と、これに嵌合する外装体に設けた凹部又は凸部との構成又はそれらを逆向きに配置した構成が挙げられる。
【発明の効果】
【００１１】
本発明によれば、キャップを開ける前は、外装体に分離体が存在することを視認することで、使用者は、未開封状態であったことを視覚的に認識することができ、また、キャップを開ける際には、外装体を本体と共に共回りさせるために押し下げるときに、外装体の天壁に設けられた分離体が本体に設けた凸部によって押し抜かれることで、使用者は未開封状態であったことを視覚的かつ体感的に認識することができる。
【００１２】
特に、本体の凸部に彩色や刻印等で加飾を施せば、分離体が押し抜かれた後の視覚的な認識も更に確実なものとなる。
【００１３】
従って、本発明によれば、視覚的又は体感的に、その未開封状態を知らしめることができる新規な誤操作防止用キャップを提供することができる。
【００１４】
更に、本発明において、本体の筒壁と、外装体の筒壁とに、この外装体を押し下げたときに互いに協働して、その押し下げ状態を維持する係止部を設ければ、当該係止部の形状や寸法等を調整して好適な係合状態を選択することにより、外装体を引き上げ可能とする場合には、誤操作防止を維持するものとし、また、外装体を引き上げ不可とする場合には、通常のキャップとして機能させるものとするといった選択的な利用が可能となる。
【発明を実施するための最良の形態】
【００１５】
以下、図面を参照して、本発明の好適な形態を詳細に説明する。
【００１６】
図１(a),(b)はそれぞれ、本発明の一形態である誤操作防止用キャップ（以下、「キャップ」という）１の上面図及び、その側面を容器の一部と共に断面で示す側面図であり、図２は、開封後の状態を容器と共に断面で示す側面図である。なお、図３は、本体に対して外装体を上方に付勢するための手段を例示した要部斜視図である。
【００１７】
符号２は、キャップ１の一部を構成する本体である。本体２は、容器20の口部（以下、「容器口部」という）21の上側に配置される天壁（以下、「本体側天壁」という）２ａと、この本体側天壁２ａから垂下して、容器口部21の外周をキャップ１の中心軸（以下、「キャップ中心軸」）Ｏ周りに取り囲む筒壁（以下、「本体側筒壁」という）２ｂとを有し、合成樹脂等により一体に成形されている。
【００１８】
本体側筒壁２ｂの内周面には、容器口部21の外周面に形成されたおねじ部22に螺合するめねじ部２ｃが形成されている。これにより、本体２は、容器口部21に対して着脱可能にねじ付けることができる。
【００１９】
また、本体側天壁２ａには、図３に示すように、変形及び復元の可能な弾性舌片２ｄが一体に設けられている。この弾性舌片２ｄは、後述の外装体３を弾性支持するものであって、キャップ中心軸Ｏの周りに間隔を空けて複数形成されている。なお、弾性舌片２ｄは、その変形に際し、本体側天壁２ａに形成された貫通孔ｈ1に収納される。また、本体側天壁２ａの裏面には、シール部材（パッキン）Ｓが配置されており、このシール部材によって貫通孔ｈ1の封止も行っている。
【００２０】
符号３も、キャップ１の一部を構成する外装体である。外装体３は、本体側天壁２ａの上側に配置される天壁（以下、「外装体側天壁」という）３ａと、この天壁３ａから垂下して本体側筒壁２ｂの外側面を取り囲む筒壁（以下、「外装体側筒壁」という）３ｂとを有し、合成樹脂等により一体に成形されている。
【００２１】
外装体側筒壁３ｂの内周面には、本体側筒壁２ｂの外周面にキャップ中心軸Ｏを取り囲むように形成された周条突起２ｆと摺動可能に嵌合する周条溝３ｃが形成されている。また、外装体側天壁３ａは、図１(b)に示すように、本体２に設けた弾性舌片２ｄによって上側に付勢されている。即ち、本体２は、外装体３を、隙間Ｃの間隔をもって、キャップ中心軸Ｏの周りを回転可能に支持する。
【００２２】
また、外装体側筒壁３ｂの内周面には、キャップ中心軸Ｏの周りに間隔を空けて複数のリブ３ｄが外装体側天壁３ａから垂下するように一体に形成されている。これに対し、本体側筒壁２ｂの外周面には、キャップ中心軸Ｏの周りに、リブ３ｄと同様の間隔を空けて、本体側天壁２ａからキャップ中心軸Ｏに沿って凹部２ｇが形成されている。この凹部２ｇには、リブ３ｄを嵌合させることができる。
【００２３】
このため、図２に示すように、本体２の凹部２ｇと外装体３のリブ３ｄとをキャップ中心軸Ｏの周りに整列させた後、同図の符号Ｄ1に示す方向に、弾性舌片２ｄの付勢力（弾性力）に抗して外装体３を本体２に押し込むと、リブ３ｄが凹部２ｇに嵌合することで、本体２を空転していた外装体３は、本体２と一体的に共回りすることができる。
【００２４】
即ち、外装体３を押し下げながら回転させ、又は、外装体３を回転させながら押し下げることで、本体２と外装体３とは一体化して、通常のキャップと同様に開閉することができる。
【００２５】
なお、本形態では、本体２の弾性舌片２ｄを、その先端面（以下、「弾性舌片先端面」という）２ｅがキャップ１を閉めるときの回転方向と逆向きを指向するように設ける一方、外装体側天壁３ａの裏面に、この天壁３ａから一体に垂下して、外装体３を閉める方向に回転させたときに、弾性舌片先端面２ｅに突き当たる突起３ｐが設けられている。
【００２６】
この場合、外装体３を押し下げることなくキャップ１を開ける方向に回転させても、外装体３の突起３ｐが弾性舌片２ｄの斜面ｆに乗り上がって当該弾性舌片２ｄを押し下げるので、外装体３は本体２に対して空転する。このため、外装体３を押し下げることなく外装体３を開ける方向に回転させてもキャップ１を開けることはできない。
【００２７】
これに対し、外装体３を押し下げることなくキャップ１を閉める方向に回転させれば、外装体３の突起３ｐが弾性舌片先端面２ｅに突き当たるので、本体２は、外装体３と一体的に回転する。このため、外装体３を押し下げることなく外装体３を閉める方向に回転させればキャップ１を閉めることはできる。
【００２８】
即ち、本形態の場合、外装体３を押し下げなくとも、キャップ１を閉めることはできる。
【００２９】
なお、本形態では、図２に示すように、本体側天壁２ａに、外装体３の押し下げにより、突起３ｐが嵌合する貫通孔ｈ2が前述の貫通孔ｈ1と別体に形成されている。これにより、外装体３を押し下げて突起３ｐを貫通孔ｈ2に貫通させれば、本体２と外装体３とは一体化して、通常のキャップと同様に開閉することができる。即ち、かかる構成によれば、前述のリブ３ｄ及び凹部２ｇと同様の機能を発揮させることができる。
【００３０】
加えて、本体側天壁２ａには、外装体側天壁３ａに向かって突出する凸部２ｐが一体に設けられている。なお、本形態に係る凸部２ｐは、キャップ中心軸Ｏを中心した円筒形に形成されている。
【００３１】
これに対し、外装体側天壁３ａには、外装体２を押し下げたときの凸部２ｐからの押圧により当該天壁３ａから所定の形状（本形態では、円形形状）に押し抜かれる分離体３ｖが一体に設けられている。
【００３２】
分離体３ｖは、外装体側天壁２ａに形成された開口部の内側に、本体２の凸部２ｐからの押圧によって破断可能な複数の連結片３ｒを介して連結されたものである。
【００３３】
これにより、分離体３ｖは常時視認することができ、外装体２を押し下げると、外装体側天壁２ａから分離して本体２の凸部２ｐが常時視認することができる。
【００３４】
本形態に係るキャップ１によれば、キャップ１を開ける前は、外装体３に分離体３ｖが存在することを視認することで、使用者は、未開封状態であったことを視覚的に認識することができ、また、キャップ１を開ける際には、外装体３を本体２と共に共回りさせるために押し下げるときに、外装体側天壁３ａに設けられた分離体３ｖが本体２に設けた凸部２ｐによって押し抜かれることで、使用者は未開封状態であったことを視覚的かつ体感的に認識することができる。
【００３５】
特に、本体２の凸部２ｐに彩色や刻印等で加飾を施せば、分離体３ｖが押し抜かれた後の視覚的な認識も更に確実なものとなる。
【００３６】
また、本形態の如く、分離体３ｖを、外装体側天壁２ａに形成された開口部の内側に、凸部２ｐからの押圧によって破断可能な複数の連結片３ｒを介して連結されたものとすれば、連結片３ｒの個数を増減することによって破断時に生じる衝撃等を適宜調整することができるので、キャップ１を開ける際に使用者が受ける感覚を自由に調整することができる。
【００３７】
なお、本発明に従えば、分離体３ｖを、凸部２ｐからの押圧によって破断可能な薄肉ラインにより、外装体側天壁３ａに形作られたものとしても、薄肉ラインの厚みを増減することによって破断時に生じる衝撃等を適宜調整することができるので、キャップ１を開ける際に使用者が受ける感覚を自由に調整することができる。また、キャップ１内への異物の侵入を抑制することもできる。
【００３８】
更に、本形態の外装体側筒壁３ｂの内周面には、本体側筒壁２ｂに設けた周条突起２ｆを利用して、外装体３を押し下げたときに周条突起２ｆが引っ掛かって、その押し下げ状態を維持する周条凹部３ｇが設けられている。周条突起２ｆ及び周条凹部３ｇはそれぞれ、外装体３を押し下げたときに互いに協働して、その押し下げ状態を維持する係止部を構成する。
【００３９】
かかる構成によれば、係止部たる周条突起２ｆの本体側筒壁２ｂからの突き出し寸法や周条凹部３ｇの外装体側筒壁３ｂからの深さ等を調整して好適な係合状態を設定することにより、外装体３を引き上げ可能とする場合には、誤操作防止を維持するものとし、また、外装体３を引き上げ不可とする場合には、通常のキャップとして機能させるものとするといった選択的な利用が可能となる。
【００４０】
上述したところは、本発明の好適な形態をしたものであるが、特許請求の範囲において、種々の変更を加えることができる。例えば、本形態において、分離体３ｖは円形形状とし、凸部２ｐは円柱形状としているが、分離体３ｖの形状は適宜選択することができ、この分離体３ｖを押圧する凸部２ｐの形状も、これに併せて分離体３ｖを押圧させることができる形状であれば、適宜選択することができる。
【００４１】
また、リブ３ｄ及び凹部２ｇの構成及び突起３ｐ及び貫通孔ｈ2の構成は、少なくともいずれか一方でよい。また、弾性舌片２ｄは、外装体側天壁３ａの裏面に設けることもできる。この場合、本体側天壁２ａに、貫通孔ｈ1,ｈ2を形成する必要がないことから、本体２の裏面に嵌合させたシール部材Ｓが不要になるため、部品点数の削減を図ることができる。
【図面の簡単な説明】
【００４２】
【図１】(a),(b)はそれぞれ、本発明の一形態である誤操作防止用キャップの上面図及び、その側面を容器の一部と共に断面で示す側面図である。
【図２】同形態における開封後の状態を容器と共に断面で示す側面図である。
【図３】同形態の本体に対して外装体を上方に付勢するための手段を例示した要部斜視図である。
【符号の説明】
【００４３】
１   キャップ（誤操作防止用キャップ）
２   本体
2a   本体側天壁
2b   本体側筒壁
2c   めねじ部
2d   弾性舌片
2e   弾性舌片先端面
2f   周条突起
2g   凹部
2h   凸部上端面
2p   凸部
３   外装体
3a   外装体側天壁
3b   外装体側筒壁
3c   周条溝
3d   リブ
3p   突起
3r   連結片
3v   分離体
20   容器
21   容器口部
22   おねじ部
h1   弾性舌片収納用貫通孔
h2   外装体側突起嵌合用貫通孔
Ｓ   シール部材
【図１】
0004986885.tif 000002
【図２】
0004986885.tif 000003
【図３】
0004986885.tif 000004